(57)【特許請求の範囲】
【請求項１】
ディスプレイスクリーン及び前記ディスプレイスクリーンと積層設置された中枠を含む電子デバイスであって、
前記電子デバイスは、前記中枠と間隔を隔てて設置された支持アームと、前記支持アームに固定された圧電アクチュエータと、前記中枠と前記支持アームとの間に設置された突起部とをさらに含み、前記突起部は前記中枠に固定され、前記支持アームの一端は前記突起部に接続され、前記中枠は前記ディスプレイスクリーンをカバーして設置され、前記突起部、前記支持アーム及び前記圧電アクチュエータは順次に前記中枠に積層設置され、前記支持アームは、前記中枠に向かう下表面及び前記下表面に対向設置された上表面を含み、前記圧電アクチュエータは前記上表面に固定され、前記電子デバイスは質量ブロックをさらに含み、前記質量ブロックは前記支持アームにおける、前記突起部から離れる一端に設置され、前記質量ブロックは、前記支持アームの前記上表面に固定保持され、前記質量ブロックは、前記圧電アクチュエータと間隔を隔てて設置され、その間隔の大きさは、前記突起部、前記支持アーム及び前記圧電アクチュエータの大きさ、並びに前記圧電アクチュエータの重量に応じて調節されていることを特徴とする電子デバイス。
【請求項２】
前記突起部の、前記中枠における正射影面積は前記圧電アクチュエータの、前記中枠における正射影面積よりも小さいことを特徴とする請求項１に記載の電子デバイス。
【請求項３】
前記支持アームと前記突起部は片持梁構造を形成することを特徴とする請求項２に記載の電子デバイス。
【請求項４】
前記支持アームは長尺状をなしていることを特徴とする請求項３に記載の電子デバイス。
【請求項５】
前記突起部と前記支持アームは一体成形されていることを特徴とする請求項１に記載の電子デバイス。
【請求項６】
前記突起部と前記中枠は一体成形されていることを特徴とする請求項１に記載の電子デバイス。
【発明の詳細な説明】
【技術分野】
【０００１】
本発明は多機能装置に関し、特に、電子デバイスに関する。
【背景技術】
【０００２】
モバイルインターネット時代の到来に伴い、スマートモバイルデバイスの数が絶えずに増加している。多くのモバイルデバイスのうち、携帯電話は疑いもなく、最もよく見られ、最もポータブルなモバイル端末装置である。現在、携帯電話の使用者から携帯電話に対する多機能の要求がますます高くなっているが、機能が多いほど、携帯電話内部に取り付けた素子が多くなり、これによって、その内部空間が素子に対する要求を満たさなくなった。圧電アクチュエータは、携帯電話内部において大きな空間を占める素子として、周辺部品、例えばフロントカメラ、距離センサ、イヤホンジャック等の設置に影響を与えている。
【０００３】
関連技術において、圧電アクチュエータは、それと協同する部品を駆動するように、上下振動する必要があり、圧電アクチュエータは直接的にデバイスのガラス中枠の裏面に貼付されており、それは中枠と間隔を隔てずに設置され、圧電アクチュエータの駆動力に大きく影響し、装置の発音性能に影響するだけでなく、周辺デバイスの設置スペースに影響する。
【先行技術文献】
【特許文献】
【０００４】
【特許文献１】特表２０１４−５０９４５８号公報
【発明の概要】
【発明が解決しようとする課題】
【０００５】
従って、上記の技術的問題を解決するために、新型の電子デバイスを提供する必要がある。
【０００６】
本発明は、片持梁構造を用いて発音性能を向上させる電子デバイスを提供することを目的とする。
【課題を解決するための手段】
【０００７】
本発明の技術案は以下のとおりである。
【０００８】
好ましくは、電子デバイスであって、ディスプレイスクリーン及び前記ディスプレイスクリーンと積層設置された中枠を含み、前記電子デバイスは、前記中枠と間隔を隔てて設置された支持アームと、前記支持アームに固定された圧電アクチュエータと、前記中枠と前記支持アームとの間に設置された突起部とをさらに含み、前記突起部は、前記中枠に固定され、前記支持アームの一端は前記突起部に接続されている。
【０００９】
好ましくは、前記突起部の、前記中枠における正射影面積は前記圧電アクチュエータの、前記中枠における正射影面積よりも小さい。
【００１０】
好ましくは、前記支持アームと前記突起部は片持梁構造を形成する。
【００１１】
好ましくは、前記支持アームは長尺状をなしている。
【００１２】
好ましくは、前記支持アームは、前記中枠に向かう下表面及び前記下表面に対向設置された上表面を含み、前記圧電アクチュエータは前記上表面に固定されている。
【００１３】
好ましくは、前記突起部と前記支持アームは一体成形されている。
【００１４】
好ましくは、前記突起部と前記中枠は一体成形されている。
【００１５】
好ましくは、前記電子デバイスは質量ブロックをさらに含み、前記質量ブロックは前記支持アームにおける、前記突起部から離れる一端に設置されている。
【００１６】
好ましくは、前記質量ブロックは、前記支持アームの前記上表面に固定保持されている。
【００１７】
好ましくは、前記質量ブロックは、前記圧電アクチュエータと間隔を隔てて設置されている。
【発明の効果】
【００１８】
本発明の有益な効果は以下の通りである。中枠と圧電アクチュエータとの接続箇所に、前記支持アームと前記突起部により形成された片持梁構造、又は前記中枠と前記突起部により形成された片持梁構造を設置することにより、前記圧電アクチュエータを前記中枠と間隔を隔てて設置し、これにより、前記電子デバイスの出力する駆動力を増加させ、効果的に前記電子デバイスの品質を向上させる。ここで、前記片持梁構造としては、前記突起部と支持アームにより一体成形してもよいだけでなく、前記突起部と前記中枠により一体成形してもよく、これにより、前記支持アームの製造を簡単にし、製造コストを低減させる。前記突起部の、前記中枠における正射影面積が前記圧電アクチュエータよりも小さいため、効果的に前記電子デバイスの内部空間を節約することができる。
【図面の簡単な説明】
【００１９】
【図１】本発明における電子デバイスに係る実施例１の分解斜視図である。
【図２】図１に示す電子デバイスが組立後の斜視構成を示す模式図である。
【図３】図２に示す電子デバイスのＡ−Ａ線における断面構成を示す模式図である。
【図４】本発明における電子デバイスの実施例２の分解斜視図である。
【図５】図４に示す電子デバイスが組立後の斜視構成を示す模式図である。
【図６】図５に示す電子デバイスのＡ´−Ａ´線における断面構成を示す模式図である。
【発明を実施するための形態】
【００２０】
＜実施例１＞
以下、図面及び実施形態を参照しながら、本発明についてさらに説明する。
【００２１】
図１を参照すると、図１は本発明における電子デバイスに係る実施例１の分解斜視図である。本発明は電子デバイス１００を提供し、該電子デバイスはガラスパネル１、ディスプレイスクリーン２、フレーム３、中枠４、支持アーム５、突起部６、圧電アクチュエータ７及び質量ブロック８を含む。
【００２２】
図２を参照すると、図２は図１に示す電子デバイスが組立後の斜視構成を示す模式図である。前記ガラスパネル１は前記フレーム３と積層設置され、前記ディスプレイスクリーン２は前記中枠４と積層設置され、且つ前記フレーム３内に設置され、前記ディスプレイスクリーン２は前記ガラスパネル１に積層設置され、前記突起部６、前記支持アーム５及び前記圧電アクチュエータ７は順次に前記中枠４に積層設置されている。
【００２３】
前記中枠４は平板状をなしており、前記ディスプレイスクリーン２をカバーして設置され、且つ前記フレーム３の内部に嵌設されている。
【００２４】
前記支持アーム５の形状は複数種であってもよく、前記圧電アクチュエータ７を支持し、且つ前記圧電アクチュエータ７を上下駆動させればよい。本実施例において、前記支持アーム５は長尺状をなしており、前記中枠４と間隔を隔てて設置されている。
【００２５】
図３を参照すると、図３は図２に示す電子デバイスのＡ−Ａ線における断面構成を示す模式図である。前記支持アーム５は前記中枠４に向かう下表面５２及び前記下表面５２に対向設置された上表面５１を含み、前記圧電アクチュエータ７は前記上表面５１に固定されている。
【００２６】
前記支持アーム５は前記突起部６と一体成形されており、前記支持アーム５と前記突起部６とは片持梁構造（符号を付けず）を形成し、具体的には、前記片持梁構造は、一端における前記突起部６は前記中枠４と固定接続され、他端は宙に浮いている。
【００２７】
前記突起部６の形状は円柱体、長方体等であってもよく、その前記中枠４への正射影面積は、前記圧電アクチュエータ７の前記中枠４への正射影面積よりも小さく、これにより、その内部空間の使用率を保証する。
【００２８】
前記片持梁構造により、前記圧電アクチュエータ７を前記中枠４と間隔を隔てて設置し、これにより、空間があって、前記圧電アクチュエータ７が上下運動し、より大きな駆動力を出力できるようにし、効果的に前記電子デバイス１００の品質を向上させる。前記圧電アクチュエータ７は前記片持梁構造により前記中枠４の上に宙に浮いており、前記中枠４に直接的に張り付けられておらず、前記片持梁構造により、前記電子デバイス１００の性能を向上させるだけでなく、内部部品の設置スペースを節約することができる。
【００２９】
前記圧電アクチュエータ７は片状体であり、逆圧電効果を有し、即ち、印加電界の付勢力により、機械的変形が発生する。前記圧電アクチュエータ７は圧電材料により製造され、圧電材料は一般的に圧電結晶体、圧電セラミックス及び有機高分子圧電材料を含む。前記圧電アクチュエータ７の形状は前記支持アーム５の形状にマッチングしており、前記圧電アクチュエータ７の取付固定を便利にし、一方で、部品の設置スペースの有効利用率を向上させることができ、前記圧電アクチュエータ７は円形、矩形、レーストラック形状等の形状にしてもよく、本実施例において、前記圧電アクチュエータ７は長尺状である。
【００３０】
前記質量ブロック８は長方形の板状構造であり、前記支持アーム５における、前記突起部６から離れる一端に貼設されており、即ち、前記片持梁構造の宙に浮いている一端に貼設されており、且つ、前記質量ブロック８は前記支持アーム５の前記上表面５１に固定されている。このように設置することにより、前記質量ブロック８を安定的に固定保持することができ、前記圧電アクチュエータ７の振動の安定性を保証し、前記片持梁構造の共振周波数を調節し、最終の発音性能を調節する。
【００３１】
前記質量ブロック８は前記圧電アクチュエータ７と一定の距離を隔てて設置されており、その距離の大きさは、前記突起部６、前記支持アーム５及び前記圧電アクチュエータ７の大きさ、並びに圧電アクチュエータ７の重量に応じて調節され、これにより、前記圧電アクチュエータ７が湾曲振動する時に、前記質量ブロック８に衝突ことがなく、圧電アクチュエータ７の振動効果も保証する。
＜実施例２＞
図４を参照するとと、図４は本発明における電子デバイスの実施例２の分解斜視図である。前記電子デバイス１００´はガラスパネル１´、ディスプレイスクリーン２´、フレーム３´、中枠４´、支持アーム５´、突起部６´、圧電アクチュエータ７´及び質量ブロック８´を含む。
【００３２】
図５を参照すると、図５は図４に示す電子デバイスが組立後の斜視構成を示す模式図である。前記ガラスパネル１´は前記フレーム３´と積層設置され、前記ディスプレイスクリーン２´は前記中枠４´と積層設置され、且つ前記フレーム３´内に設置されており、前記ディスプレイスクリーン２´は前記ガラスパネル１´に積層設置され、前記突起部６´、前記支持アーム５´及び前記圧電アクチュエータ７´は順次に前記中枠４´に積層設置されている。
【００３３】
前記支持アーム５´は、一端が前記突起部６´に積層設置され、他端が宙に浮いている。
【００３４】
図６を参照すると、図６は図５に示す電子デバイスのＡ´−Ａ´線における断面構成を示す模式図である。前記支持アーム５´は長尺状をなしており、前記中枠４´に向かう下表面５２´及び前記下表面５２´に対向設置された上表面５１´を含み、前記圧電アクチュエータ７´は前記上表面５１´に固定されている。
【００３５】
前記突起部６´は長方体構造をなしており、前記突起部６´は前記中枠４´と一体成形されている。前記突起部６´の前記中枠４´への正射影面積は前記圧電アクチュエータ７´の前記中枠４´への正射影面積よりも小さい。
【００３６】
前記突起部６´が前記中枠４´と一体成形されている構成や前記支持アーム５´が簡単な長尺状であることは、このようにすると、前記支持アーム５´の製造成形をより便利に、行いやすくする。
【００３７】
前記圧電アクチュエータ７´の構造や接続方式は実施例１と同じである。
【００３８】
前記質量ブロック８´の構造や接続方式は実施例１と同じである。
【００３９】
本発明は新型の電子デバイスを提供し、中枠４と圧電アクチュエータ７との接続箇所に前記支持アーム５と前記突起部６により形成された片持梁構造、又は前記中枠４´と前記突起部６´により形成された片持梁構造を設置することにより、前記圧電アクチュエータ７を前記中枠４と間隔を隔てて設置し、前記電子デバイス１００の出力する駆動力を増加させ、効果的に前記電子デバイス１００の品質を向上させる。ここで、前記片持梁構造は前記突起部６と支持アーム５により一体成形してもよいだけでなく、前記突起部６´と前記中枠４´により一体成形してもよく、これにより、前記支持アーム５´の製造を簡単にし、製造コストを低減させる。前記突起部６の、前記中枠４における正射影面積は前記圧電アクチュエータ７よりも小さく、これにより、効果的に前記電子デバイス１００の内部空間を節約することができる。
【００４０】
上述したのは本発明の実施形態に過ぎず、ここで明確にすべきなのは、当業者にとって、本発明の創造的発想から脱逸しない前提で、改良してもよいが、これらの改良はいずれも本発明の保護範囲に含まれる。
【符号の説明】
【００４１】
１、１´  ガラスパネル
２、２´  ディスプレイスクリーン
３、３´  フレーム
４、４´  中枠
５、５´  支持アーム
５１、５１´  上表面
５２、５２´  下表面
６、６´  突起部
７、７´  圧電アクチュエータ
８、８´  質量ブロック
１００、１００´  電子デバイス
【図１】
0006441863.tif 000002
【図２】
0006441863.tif 000003
【図３】
0006441863.tif 000004
【図４】
0006441863.tif 000005
【図５】
0006441863.tif 000006
【図６】
0006441863.tif 000007